(57)【特許請求の範囲】
【請求項１】
第１のサイズの映像コンテンツと，前記第１のサイズの縦横それぞれ２倍の第２のサイズの映像コンテンツの再生機能を持つデジタルシネマ再生装置であって，
再生対象の映像コンテンツの音声データを入力する音声データ入力部と，
入力した音声データを蓄積する音声データ蓄積部と，
再生対象の映像コンテンツの映像データを入力する映像データ入力部と，
前記映像データ入力部が入力した映像データが，前記第１のサイズの映像コンテンツであるか前記第２のサイズの映像コンテンツであるかを自動判別する自動判別処理部と，
入力した映像データを蓄積する映像データ蓄積部と，
再生対象の映像コンテンツの字幕データを入力する字幕データ入力部と，
前記自動判別処理部が第１のサイズの映像コンテンツと判別した場合に，入力した字幕データを前記第２のサイズに対応する縦横それぞれ２倍のサイズに拡大する字幕データ拡大処理部と，
入力した字幕データまたはそれを前記字幕データ拡大処理部によって拡大した字幕データを蓄積する字幕データ蓄積部と，
再生時に，前記音声データ蓄積部に蓄積されている再生対象の音声データを読み出し，音声信号に変換して出力する音声信号出力部と，
再生時に，前記映像データ蓄積部から再生対象の映像データを読み出し，その読み出した再生対象が前記第１のサイズの映像コンテンツである場合の映像データ，または前記第２のサイズの映像コンテンツである場合の映像データのうち前記第１のサイズに相当する低域部分の映像データを復号する第１成分復号処理部と，
再生対象が前記第１のサイズの映像コンテンツである場合に，前記第１成分復号処理部の復号した結果を前記第２のサイズの映像コンテンツにおける低域成分とし，他の第２のサイズの映像コンテンツにおける高域成分部分については再生値を０として設定し，再生対象が前記第２のサイズの映像コンテンツである場合に，前記第１成分復号処理部の復号した結果を前記第２のサイズの映像コンテンツにおける低域成分とし，前記映像データ蓄積部から読み出した他の映像データの部分を第２のサイズの映像コンテンツにおける高域成分として，映像データを復号する第２成分復号処理部と，
前記第２成分復号処理部が復号した映像データに前記字幕データ蓄積部から読み出した字幕データを重畳する字幕重畳部と，
前記字幕重畳部の出力を映像信号として出力する映像信号出力部とを備える
ことを特徴とするデジタルシネマ再生装置。
【請求項２】
第１のサイズの映像コンテンツと，前記第１のサイズの縦横それぞれ２倍の第２のサイズの映像コンテンツの再生機能を持つデジタルシネマ再生装置であって，
再生対象の映像コンテンツの音声データを入力する音声データ入力部と，
入力した音声データを蓄積する音声データ蓄積部と，
再生対象の映像コンテンツの映像データを入力する映像データ入力部と，
入力した映像データを蓄積する映像データ蓄積部と，
再生対象の映像コンテンツの字幕データを入力する字幕データ入力部と，
入力した字幕データを蓄積する字幕データ蓄積部と，
再生時に，前記音声データ蓄積部に蓄積されている再生対象の音声データを読み出し，音声信号に変換して出力する音声信号出力部と，
再生時に，前記映像データ蓄積部から再生対象の映像データを読み出し，その読み出した再生対象の映像データが，前記第１のサイズの映像コンテンツであるか前記第２のサイズの映像コンテンツであるかを自動判別する自動判別処理部と，
前記映像データ蓄積部から読み出した再生対象が前記第１のサイズの映像コンテンツである場合の映像データ，または前記第２のサイズの映像コンテンツである場合の映像データのうち前記第１のサイズに相当する低域部分の映像データを復号する第１成分復号処理部と，
再生対象が前記第１のサイズの映像コンテンツである場合に，前記第１成分復号処理部の復号した結果に前記字幕データ蓄積部に蓄積されている字幕データを重畳した結果を前記第２のサイズの映像コンテンツにおける低域成分とし，他の第２のサイズの映像コンテンツにおける高域成分部分については再生値を０として設定し，再生対象が前記第２のサイズの映像コンテンツである場合に，前記第１成分復号処理部の復号した結果を前記第２のサイズの映像コンテンツにおける低域成分とし，前記映像データ蓄積部から読み出した他の映像データの部分を第２のサイズの映像コンテンツにおける高域成分として，映像データを復号する第２成分復号処理部と，
再生対象が前記第１のサイズの映像コンテンツである場合に，前記第１成分復号処理部の復号した結果に前記字幕データ蓄積部に蓄積されている字幕データを重畳し，前記第２成分復号処理部への入力とし，再生対象が前記第２のサイズの映像コンテンツである場合に，前記第２成分復号処理部が復号した映像データに前記字幕データ蓄積部から読み出した字幕データを重畳する字幕重畳部と，
再生対象が前記第１のサイズの映像コンテンツである場合に，前記第２成分復号処理部の出力を映像信号として出力し，再生対象が前記第２のサイズの映像コンテンツである場合に，前記字幕重畳部の出力を映像信号として出力する映像信号出力部とを備える
ことを特徴とするデジタルシネマ再生装置。
【請求項３】
第１のサイズの映像コンテンツと，前記第１のサイズの縦横それぞれ２倍の第２のサイズの映像コンテンツの再生機能を持つデジタルシネマ再生装置であって，
再生対象の映像コンテンツの音声データを入力する音声データ入力部と，
入力した音声データを蓄積する音声データ蓄積部と，
再生対象の映像コンテンツの映像データを入力する映像データ入力部と，
入力した映像データを蓄積する映像データ蓄積部と，
再生対象の映像コンテンツの字幕データを入力する字幕データ入力部と，
入力した字幕データを蓄積する字幕データ蓄積部と，
再生時に，前記音声データ蓄積部に蓄積されている再生対象の音声データを読み出し，音声信号に変換して出力する音声信号出力部と，
再生時に，前記映像データ蓄積部から再生対象の映像データを読み出し，その読み出した再生対象の映像データが，前記第１のサイズの映像コンテンツであるか前記第２のサイズの映像コンテンツであるかを自動判別する自動判別処理部と，
前記自動判別処理部が第１のサイズの映像コンテンツと判別した場合に，前記字幕データ蓄積部から読み出した再生対象の字幕データを前記第２のサイズに対応する縦横それぞれ２倍のサイズに拡大する字幕データ拡大処理部と，
前記映像データ蓄積部から読み出した再生対象が前記第１のサイズの映像コンテンツである場合の映像データ，または前記第２のサイズの映像コンテンツである場合の映像データのうち前記第１のサイズに相当する低域部分の映像データを復号する第１成分復号処理部と，
再生対象が前記第１のサイズの映像コンテンツである場合に，前記第１成分復号処理部の復号した結果を前記第２のサイズの映像コンテンツにおける低域成分とし，他の第２のサイズの映像コンテンツにおける高域成分部分については再生値を０として設定し，再生対象が前記第２のサイズの映像コンテンツである場合に，前記第１成分復号処理部の復号した結果を前記第２のサイズの映像コンテンツにおける低域成分とし，前記映像データ蓄積部から読み出した他の映像データの部分を第２のサイズの映像コンテンツにおける高域成分として，映像データを復号する第２成分復号処理部と，
前記第２成分復号処理部が復号した映像データに前記字幕データ蓄積部から読み出した字幕データまたはそれを前記字幕データ拡大処理部によって拡大した字幕データを重畳する字幕重畳部と，
前記字幕重畳部の出力を映像信号として出力する映像信号出力部とを備える
ことを特徴とするデジタルシネマ再生装置。
【請求項４】
請求項１，請求項２または請求項３記載のデジタルシネマ再生装置において，
前記音声データ蓄積部に蓄積される音声データは暗号化されていて，前記音声データ蓄積部からの音声データの読み出し時に暗号化されている音声データを復号する暗号復号部と，
前記映像データ蓄積部に蓄積される映像データは暗号化されていて，前記映像データ蓄積部からの映像データの読み出し時に暗号化されている映像データを復号する暗号復号部とを，少なくとも備える
ことを特徴とするデジタルシネマ再生装置。
【請求項５】
第１のサイズの映像コンテンツと，前記第１のサイズの縦横それぞれ２倍の第２のサイズの映像コンテンツの再生機能を持つデジタルシネマ再生装置が実行するデジタルシネマ再生方法であって，
再生対象の映像コンテンツの音声データを入力し，音声データ蓄積部に蓄積する過程と，
再生対象の映像コンテンツの映像データを入力する過程と，
入力した映像データが，前記第１のサイズの映像コンテンツであるか前記第２のサイズの映像コンテンツであるかを自動判別する自動判別処理過程と，
入力した映像データを映像データ蓄積部に蓄積する過程と，
再生対象の映像コンテンツの字幕データを入力する過程と，
前記自動判別処理過程において第１のサイズの映像コンテンツと判別した場合に，入力した字幕データを前記第２のサイズに対応する縦横それぞれ２倍のサイズに拡大する字幕データ拡大処理過程と，
入力した字幕データまたはそれを前記字幕データ拡大処理過程において第２のサイズに拡大した字幕データを字幕データ蓄積部に蓄積する過程と，
再生時に，前記音声データ蓄積部に蓄積されている再生対象の音声データを読み出し，音声信号に変換して出力する音声信号出力過程と，
再生時に，前記映像データ蓄積部から再生対象の映像データを読み出し，その読み出した再生対象が前記第１のサイズの映像コンテンツである場合の映像データ，または前記第２のサイズの映像コンテンツである場合の映像データのうち前記第１のサイズに相当する低域部分の映像データを復号する第１成分復号処理過程と，
再生対象が前記第１のサイズの映像コンテンツである場合に，前記第１成分復号処理過程において復号した結果を前記第２のサイズの映像コンテンツにおける低域成分とし，他の第２のサイズの映像コンテンツにおける高域成分部分については再生値を０として設定し，再生対象が前記第２のサイズの映像コンテンツである場合に，前記第１成分復号処理過程において復号した結果を前記第２のサイズの映像コンテンツにおける低域成分とし，前記映像データ蓄積部から読み出した他の映像データの部分を第２のサイズの映像コンテンツにおける高域成分として，映像データを復号する第２成分復号処理過程と，
前記第２成分復号処理過程において復号した映像データに前記字幕データ蓄積部から読み出した字幕データを重畳する字幕重畳過程と，
前記字幕重畳過程による出力を映像信号として出力する映像信号出力過程とを有する
ことを特徴とするデジタルシネマ再生方法。
【請求項６】
第１のサイズの映像コンテンツと，前記第１のサイズの縦横それぞれ２倍の第２のサイズの映像コンテンツの再生機能を持つデジタルシネマ再生装置が実行するデジタルシネマ再生方法であって，
再生対象の映像コンテンツの音声データを入力し，音声データ蓄積部に蓄積する過程と，
再生対象の映像コンテンツの映像データを入力し，映像データ蓄積部に蓄積する過程と，
再生対象の映像コンテンツの字幕データを入力し，字幕データ蓄積部に蓄積する過程と，
再生時に，前記音声データ蓄積部に蓄積されている再生対象の音声データを読み出し，音声信号に変換して出力する音声信号出力過程と，
再生時に，前記映像データ蓄積部から再生対象の映像データを読み出し，その読み出した再生対象の映像データが，前記第１のサイズの映像コンテンツであるか前記第２のサイズの映像コンテンツであるかを自動判別する自動判別処理過程と，
前記映像データ蓄積部から読み出した再生対象が前記第１のサイズの映像コンテンツである場合の映像データ，または前記第２のサイズの映像コンテンツである場合の映像データのうち前記第１のサイズに相当する低域部分の映像データを復号する第１成分復号処理過程と，
再生対象が前記第１のサイズの映像コンテンツである場合に，前記第１成分復号処理過程において復号した結果に前記字幕データ蓄積部に蓄積されている字幕データを重畳した結果を前記第２のサイズの映像コンテンツにおける低域成分とし，他の第２のサイズの映像コンテンツにおける高域成分部分については再生値を０として設定し，再生対象が前記第２のサイズの映像コンテンツである場合に，前記第１成分復号処理過程において復号した結果を前記第２のサイズの映像コンテンツにおける低域成分とし，前記映像データ蓄積部から読み出した他の映像データの部分を第２のサイズの映像コンテンツにおける高域成分として，映像データを復号する第２成分復号処理過程と，
再生対象が前記第１のサイズの映像コンテンツである場合に，前記第１成分復号処理過程において復号した結果に前記字幕データ蓄積部に蓄積されている字幕データを重畳し，前記第２成分復号処理過程への入力とし，再生対象が前記第２のサイズの映像コンテンツである場合に，前記第２成分復号処理過程において復号した映像データに前記字幕データ蓄積部から読み出した字幕データを重畳する字幕重畳過程と，
再生対象が前記第１のサイズの映像コンテンツである場合に，前記第２成分復号処理過程による出力を映像信号として出力し，再生対象が前記第２のサイズの映像コンテンツである場合に，前記字幕重畳過程による出力を映像信号として出力する映像信号出力過程とを有する
ことを特徴とするデジタルシネマ再生方法。
【請求項７】
第１のサイズの映像コンテンツと，前記第１のサイズの縦横それぞれ２倍の第２のサイズの映像コンテンツの再生機能を持つデジタルシネマ再生装置が実行するデジタルシネマ再生方法であって，
再生対象の映像コンテンツの音声データを入力し，音声データ蓄積部に蓄積する過程と，
再生対象の映像コンテンツの映像データを入力し，映像データ蓄積部に蓄積する過程と，
再生対象の映像コンテンツの字幕データを入力し，字幕データ蓄積部に蓄積する過程と，
再生時に，前記音声データ蓄積部に蓄積されている再生対象の音声データを読み出し，音声信号に変換して出力する音声信号出力過程と，
再生時に，前記映像データ蓄積部から再生対象の映像データを読み出し，その読み出した再生対象の映像データが，前記第１のサイズの映像コンテンツであるか前記第２のサイズの映像コンテンツであるかを自動判別する自動判別処理過程と，
前記自動判別処理過程において第１のサイズの映像コンテンツと判別した場合に，前記字幕データ蓄積部から読み出した再生対象の字幕データを前記第２のサイズに対応する縦横それぞれ２倍のサイズに拡大する字幕データ拡大処理過程と，
前記映像データ蓄積部から読み出した再生対象が前記第１のサイズの映像コンテンツである場合の映像データ，または前記第２のサイズの映像コンテンツである場合の映像データのうち前記第１のサイズに相当する低域部分の映像データを復号する第１成分復号処理過程と，
再生対象が前記第１のサイズの映像コンテンツである場合に，前記第１成分復号処理過程において復号した結果を前記第２のサイズの映像コンテンツにおける低域成分とし，他の第２のサイズの映像コンテンツにおける高域成分部分については再生値を０として設定し，再生対象が前記第２のサイズの映像コンテンツである場合に，前記第１成分復号処理過程において復号した結果を前記第２のサイズの映像コンテンツにおける低域成分とし，前記映像データ蓄積部から読み出した他の映像データの部分を第２のサイズの映像コンテンツにおける高域成分として，映像データを復号する第２成分復号処理過程と，
前記第２成分復号処理過程において復号した映像データに前記字幕データ蓄積部から読み出した字幕データまたはそれを前記字幕データ拡大処理過程によって拡大した字幕データを重畳する字幕重畳過程と，
前記字幕重畳過程による出力を映像信号として出力する映像信号出力過程とを有する
ことを特徴とするデジタルシネマ再生方法。
【請求項８】
請求項５，請求項６または請求項７記載のデジタルシネマ再生方法において，
前記音声データ蓄積部に蓄積される音声データは暗号化されていて，前記音声データ蓄積部からの音声データの読み出し時に暗号化されている音声データを復号する暗号復号過程と，
前記映像データ蓄積部に蓄積される映像データは暗号化されていて，前記映像データ蓄積部からの映像データの読み出し時に暗号化されている映像データを復号する暗号復号過程とを，少なくとも有する
ことを特徴とするデジタルシネマ再生方法。
【請求項９】
請求項５から請求項８までのいずれか１項に記載のデジタルシネマ再生方法を，コンピュータに実行させるためのデジタルシネマ再生プログラム。
【発明の詳細な説明】
【技術分野】
【０００１】
本発明は，米ハリウッドDigital Cinema Initiatives，ＬＬＣ（ＤＣＩ）およびSociety of Motion Picture Television Engineering（ＳＭＰＴＥ）が規格化した劇場で映画をデジタル上映するためのデジタルシネマ再生装置に関する。
【背景技術】
【０００２】
図１１は，ＤＣＩ仕様（Digital Cinema Specification V.1.0）や，ＳＭＰＴＥのデジタルシネマ規格ができる前の従来のデジタルシネマ再生方式の例を示す。デジタルシネマ再生装置３００からプロジェクタ３１０へ映像データと字幕データが送信され，プロジェクタ３１０では，字幕重畳機構３１１によって映像に字幕が重畳され，それが表示素子３１２に表示され，メインレンズおよびアナモフィックレンズ３１３を介してスクリーン３２０に投影される。
【０００３】
この図１１に示されるような，ＤＣＩ仕様やＳＭＰＴＥのデジタルシネマ規格ができる前のデジタルシネマ再生方式は，米国 Texas Instruments（ＴＩ）社製のDigital Light Processing（ＤＬＰ：ＴＩ社商標）シネマプロジェクタの解像度１２８０×１０２４画素で，Digital Micromirror Device（ＤＭＤ：ＴＩ社商標）素子等の表示素子３１２で表示した映像を，アナモフィックレンズ３１３を用いてビスタサイズであれば１．５倍，シネマスコープサイズであれば１．９倍横方向に拡大して映画を上映するものであった（非特許文献１参照）。
【０００４】
ＤＣＩ仕様が２００５年７月に公表され，その中では映画の映像データを運ぶコンテナサイズとして，４Ｋ（４０９６×２１６０画素）と２Ｋ（２０４８×１０８０画素）が定義され，アナモフィックレンズは用いずに，正方画素のその映像コンテナの中を使って表示ができる任意アスペクトの映像を用いて映画を上映することになった。
【０００５】
ＤＣＩ仕様やＳＭＰＴＥのデジタルシネマ規格に対応するデジタルシネマ再生装置（Image Media Block ）では，４Ｋコンテンツ，２Ｋコンテンツ双方のデジタルシネマパッケージ（ＤＣＰ）の上映を可能にすることが求められている。
【０００６】
ＤＣＩ仕様に準拠する４Ｋプロジェクタ用のデジタルシネマ再生装置では，２Ｋコンテンツの２Ｋ映像データを４Ｋ映像にスケールアップして再生することが求められ，２Ｋプロジェクタ用のデジタルシネマ映像再生装置では，４Ｋコンテンツの４Ｋ映像データを２Ｋ映像にスケールダウンして再生することが求められている（非特許文献２，９ページ，Figure 3参照）。
【０００７】
ＴＩ社製のＤＬＰを用いた２Ｋプロジェクタ（非特許文献３参照）には，プロジェクタ側で字幕を重畳するための機構が用意されているが，ソニー社製の４Ｋプロジェクタ（非特許文献４参照）には，字幕を重畳する機構がないため，４Ｋプロジェクタ用のデジタルシネマ再生装置側で字幕画像データを重畳した映像データを映像信号として出力する必要がある。
【非特許文献１】横堀秀一「小特集ディジタルシネマ 4-3-2 DLPシネマ装置」，映像情報メディア学会誌，Vol.55，No.7，pp.966-967，2001
【非特許文献２】“Digital Cinema System Specification Version 1.0 ”，Digital Cinema Initiatives，LLC ,July 20，2005，インターネット＜ＵＲＬ：http://www.dcimovies.com/vlerrata/DCI ＿Digital ＿Cinema＿System＿Spec＿v1.pdf＞
【非特許文献３】Texas Instruments 社  ニュースリリース 2004/3/23  「ＴＩ，ＤＬＰシネマTM映写機の採用が世界で拡大〜ＤＬＰシネマTM字幕技術を採用した映画会社が国際的な配給を展開〜」，インターネット，＜ＵＲＬ：http://www.tij.co.jp/news/sc/2004/scj ＿04＿028.htm ＞
【非特許文献４】ソニー社  プレスリリース 2004/6/4 「業界初の『４Ｋ  ＳＸＲＤ』デジタルシネマプロジェクターを商品化」，インターネット，＜ＵＲＬ：http://www.sony.co.jp/SonyInfo/News/Press ＿Archive/200406/04-0604/ ＞
【発明の開示】
【発明が解決しようとする課題】
【０００８】
ＤＣＩ仕様では，２ＫコンテンツのＤＣＰには，２Ｋ映像に合わせたサイズの字幕画像（サブピクチャ）ファイルだけを付ければよいことになっているため，４Ｋデジタルシネマ再生装置において，２Ｋコンテンツを上映する場合，字幕画像ファイルを４Ｋ映像に合わせたサイズ（縦２倍・横２倍）にアップコンバートしなければならない。４ＫコンテンツのＤＣＰの場合は，４Ｋ映像に合わせたサイズの字幕画像ファイルが付けられているのでそのままそれを使用すればよい。
【０００９】
したがって，４Ｋデジタルシネマ再生装置では，これから上映する予定のＤＣＰが２Ｋコンテンツなのか，４Ｋコンテンツかを判別し，２Ｋコンテンツであった場合には，字幕画像データ（以下，字幕データという）および映像データをアップコンバートしなければならない。映像データに関しては，セキュリティのために再生時まで暗号化された状態とすることになっており，再生時にアップコンバートしなければならない。
【課題を解決するための手段】
【００１０】
本発明は，デジタルシネマ再生装置において，ＤＣＩ仕様やＳＭＰＴＥの規格に準拠するために，デジタルシネマパッケージ（ＤＣＰ）が２Ｋコンテンツと４Ｋコンテンツのいずれであっても，４Ｋでの上映が実現できなければならないという課題を解決する。
【００１１】
このため，第１の発明では，ＤＣＰのロード時に映像データが２Ｋコンテンツか４Ｋコンテンツかを自動的に判別し，２Ｋコンテンツであった場合に，暗号のかかっていない字幕データは，ロードの時点で拡大し，暗号のかかっている映像データは，再生時に暗号を復号した後，２Ｋ成分を復号し，その結果を４Ｋ低域成分（ＬＬ成分）とし，４Ｋ成分復号処理部で再生値＝０の４Ｋ高域成分を加えて４Ｋ拡大処理をする。
【００１２】
また，第２の発明では，再生時に映像データが２Ｋコンテンツか４Ｋコンテンツかを判別し，２Ｋコンテンツであった場合には，２Ｋ成分復号処理によって得た２Ｋ映像に２Ｋ用の字幕データを重畳し，それを４Ｋ低域成分（ＬＬ成分）として，４Ｋ成分復号処理部で再生値＝０の４Ｋ高域成分を加えて４Ｋ拡大処理する。
【００１３】
また，第３の発明では，再生時に映像データが２Ｋコンテンツか４Ｋコンテンツかを判別し，２Ｋコンテンツであった場合には，字幕データを４Ｋコンテンツに合うように拡大し，映像データの２Ｋ成分を復号し，その結果を４Ｋ低域成分（ＬＬ成分）とし，４Ｋ成分復号処理部で再生値＝０の４Ｋ高域成分を加えて４Ｋ拡大処理をする。
【００１４】
上記発明において，音声データ，映像データまたは字幕データが暗号化されている場合には，蓄積部には暗号化された状態でそれらのデータを蓄積しておき，再生時に復号して暗号化状態を解除する。これにより，蓄積部からのデータの漏洩を防止する。
【発明の効果】
【００１５】
本発明によれば，４Ｋデジタルシネマ再生装置において，２ＫコンテンツのＤＣＰの４Ｋ拡大上映が可能となる。
【発明を実施するための最良の形態】
【００１６】
〔第１の実施形態〕
図１は，第１の実施形態に係るデジタルシネマ再生装置の構成例を示す図である。
【００１７】
このデジタルシネマ再生装置１００は，４Ｋコンテンツおよび２ＫコンテンツのＤＣＰを自動判別して上映する機能を持つ。音声データ入力部１０１は，音声データを入力し，音声データ蓄積部１０２に格納する。音声データ蓄積部１０２に蓄積された音声データは暗号化されており，再生時に暗号復号部１０３によって復号され，音声信号出力部１０４から出力される。
【００１８】
また，映像データは，映像データ入力部１０５によって入力される。２Ｋ／４Ｋ自動判別処理部１０６は，映像データ入力部１０５によって入力された映像データが，２Ｋコンテンツか４Ｋコンテンツかの判別を行い，判別結果を字幕データ拡大処理部１１２および４Ｋ成分復号処理部１１０へ通知する。入力された映像データは，映像データ蓄積部１０７に蓄積される。
【００１９】
この映像データは，再生時に映像データ蓄積部１０７から読み出されて，暗号復号部１０８によって暗号化前の符号化データに復号される。映像データが２Ｋコンテンツの場合には，その符号化データである２Ｋ成分が２Ｋ成分復号処理部１０９によって復号され，復号結果が４Ｋ  ＬＬ成分として４Ｋ成分復号処理部１１０へ送られて，ここで４Ｋ拡大映像となるように復号される。詳しい処理内容は後述する。
【００２０】
また，映像データが４Ｋコンテンツの場合には，その符号化データである２Ｋ成分に相当する部分が２Ｋ成分復号処理部１０９によって復号され，４Ｋ成分復号処理部１１０へ送られる。また，４Ｋコンテンツの４Ｋ  ＬＨ，４Ｋ  ＨＬ，４Ｋ  ＨＨ成分が４Ｋ成分復号処理部１１０へ送られ，ここで４Ｋ成分復号処理が行われる。４Ｋ成分復号処理部１１０による復号結果の映像データは，字幕重畳部１１４へ送られる。
【００２１】
字幕データは，字幕データ入力部１１１によって入力される。字幕データ拡大処理部１１２は，２Ｋ／４Ｋ自動判別処理部１０６による判別結果が２Ｋコンテンツである場合に，ビットマップ形式の字幕データを縦・横それぞれ２倍にアップコンバート（拡大）して字幕データ蓄積部１１３に格納する。４Ｋコンテンツの場合には，字幕データをそのままのサイズで字幕データ蓄積部１１３に蓄積する。
【００２２】
再生時には，４Ｋ成分復号処理部１１０の出力である映像データに，字幕データ蓄積部１１３から読み出された字幕データが重畳され，映像信号出力部１１５から出力されて上映される。
【００２３】
デジタルシネマ再生装置１００の処理内容をさらに詳しく説明する。図２は，デジタルシネマ再生装置１００へのＤＣＰロード時のフローを示している。ＤＣＰロードとは，上映対象となっているＤＣＰの音声データ，映像データ，字幕データを，デジタルシネマ再生装置１００内の蓄積部１０２，１０７，１１３に取り込むことをいう。
【００２４】
ＤＣＰロード時に，字幕データを読み込む前に映像データ（ＭＸＦ形式の映像トラックファイル）を読み込み（ステップＳ１０），映像データのＪＰＥＧ  ２０００ Picture Sub Descriptor 内のＲｓｉｚおよびＸｓｉｚおよびＹｓｉｚから，４Ｋコンテンツか２Ｋコンテンツかを自動判別する（ステップＳ１１）。
【００２５】
ここで，Ｒｓｉｚが“３”ならば２Ｋコンテンツと判断する。Ｒｓｉｚが“４”ならば４Ｋコンテンツと判断する。Ｒｓｉｚが“４”または“３”以外でＸｓｉｚが２０４８以下かつＹｓｉｚが１０８０以下であれば２Ｋコンテンツと判断する。Ｘｓｉｚが２０４９以上４０９６以下，Ｙｓｉｚが１０８１以上２１６０以下であれば４Ｋコンテンツと判断する。映像データは，アップコンバートせずにそのまま映像データ蓄積部１０７にロードする。
【００２６】
２Ｋコンテンツと自動的に判別された場合に，ビットマップ形式の字幕データを縦・横それぞれ２倍にアップコンバート（拡大）して，字幕データ蓄積部１１３にロードする（ステップＳ１２）。別途，字幕データ蓄積部１１３に記録する字幕表示タイミング情報・表示位置情報の中の字幕表示位置は，４Ｋコンテナの座標に変換（マッピング）して記録する。
【００２７】
４Ｋコンテンツと自動的に判別された場合には，字幕データの拡大処理，字幕表示位置情報の座標変換をしないで，４Ｋ字幕データをそのまま字幕データ蓄積部１１３にロードする（ステップＳ１３）。
【００２８】
音声に関する処理は，４Ｋコンテンツ・２Ｋコンテンツによる違いはなく，音声データを音声データ蓄積部１０２にロードする（ステップＳ１４）。ロードの順番は，音声データは，何番目でもよいが，字幕データは，映像データより後でなければならない。最初に映像データのロードを開始し，２Ｋ／４Ｋの判別をした直後から，字幕データのロードを並行してスタートさせることも可能である。音声データのロードは，判別前からでも判別後からでもロードを並行させることができる。
【００２９】
図３は，デジタルシネマ再生装置１００でＤＣＰを再生する時のフローを示している。ＤＣＰの再生が開始されると，映像データ蓄積部１０７，字幕データ蓄積部１１３，音声データ蓄積部１０２から，それぞれ映像データ，字幕データ，音声データの読み出しが行われる（ステップＳ２０）。
【００３０】
音声データ蓄積部１０２から読み出した音声データは暗号化されているので，その復号処理を行い（ステップＳ２１），復号された音声信号を劇場音響装置を介して出力し（ステップＳ２２），音声を再生する。
【００３１】
また，映像データ蓄積部１０７から読み出した映像データについても暗号化されているので，暗号の復号処理を行う（ステップＳ２３）。復号した映像データが２Ｋコンテンツであった場合，その２Ｋ成分からなるＪＰＥＧ  ２０００映像データについて，２Ｋ成分復号処理部１０９で２Ｋ映像を復号する（ステップＳ２４）。その復号した結果を４Ｋ成分復号処理部１１０にＬＬの４Ｋ成分として入力し，４Ｋ成分復号処理部１１０で再生値が０となる変換係数を有する残りのＬＨ，ＨＬ，ＨＨの４Ｋ成分を加えて復号することで，４Ｋ拡大映像を得る（ステップＳ２５）。
【００３２】
次に，字幕重畳部１１４で，アップコンバートされた字幕データを４Ｋに拡大された映像データに重畳し（ステップＳ２６），映像信号として出力して（ステップＳ２７），４Ｋプロジェクタを介して再生する。
【００３３】
ロード時に４Ｋコンテンツと自動的に判別された場合には，暗号化されている映像データを復号した後（ステップＳ２３），２Ｋ成分の符号化データを２Ｋ成分復号処理部１０９で復号して４Ｋ  ＬＬ成分を得る。その後，残りの４Ｋ高域成分（４Ｋ  ＬＨ，４Ｋ  ＨＬ，４Ｋ  ＨＨ）と合わせて４Ｋ成分復号処理部１１０で復号し，４Ｋ映像を得て，字幕重畳部１１４で４Ｋコンテンツ用の字幕データを重畳し（ステップＳ２６），映像信号として出力して（ステップＳ２７），４Ｋプロジェクタを介して再生する。
【００３４】
図４は，２Ｋコンテンツの映像データの４Ｋ拡大表示を説明するための図である。図５は，４Ｋ成分復号処理部１１０の処理のフローチャートである。２Ｋ成分ＪＰＥＧ  ２０００コードストリーム（符号化データ）を復号した結果を，４Ｋ  ＬＬ成分として入力する（ステップＳ３０）。４Ｋ成分の有無を判別し（ステップＳ３１），４Ｋ成分が有る場合には，４Ｋ  ＬＨ，４Ｋ  ＨＬ，４Ｋ  ＨＨの各成分の実データを入力する（ステップＳ３２）。続いて，４Ｋ  ＬＬ，４Ｋ  ＬＨ，４Ｋ  ＨＬ，４Ｋ  ＨＨの各成分を用いた復号処理を行い（ステップＳ３３），４Ｋ映像を得る。
【００３５】
４Ｋ成分がない場合，図４に示すように，４Ｋ高域成分ＬＨ，ＨＬ，ＨＨについては，再生値＝０として，ＪＰＥＧ  ２０００コードストリームに挿入し（ステップＳ３４），４Ｋ成分復号処理部１１０で復号する（ステップＳ３３）。これにより，図４に示すような４Ｋ拡大映像が得られることになる。
【００３６】
〔第２の実施形態〕
図６は，第２の実施形態に係るデジタルシネマ再生装置の構成例を示す図である。
【００３７】
第２の実施形態では，音声データおよび映像データだけではなく，字幕データについても暗号化されているものとしている。なお，字幕データが暗号化されていない場合には，図６に示す暗号復号部２１３は不要である。
【００３８】
図６に示すデジタルシネマ再生装置２００における音声データ入力部２０１，音声データ蓄積部２０２，暗号復号部２０３，音声信号出力部２０４の機能および処理内容は，図１に示すデジタルシネマ再生装置１００と同様である。
【００３９】
第２の実施形態では，ＤＣＰのロード時には，４Ｋコンテンツか２Ｋコンテンツかの判別を行わずに，再生時に第１の実施形態と同様の自動判別を行う。そのため，映像データ入力部２０５は，映像データを入力すると，そのまま映像データ蓄積部２０６に映像データを蓄積する。
【００４０】
図７は，デジタルシネマ再生装置２００へのＤＣＰロード時のフローを示している。ステップＳ４０では，映像データ入力部２０５が映像データを入力し，映像データ蓄積部２０６に蓄積する（映像データのロード）。ステップＳ４１では，字幕データ入力部２１１が字幕データを入力し，字幕データ蓄積部２１２に蓄積する（字幕データのロード）。ステップＳ４２では，音声データ入力部２０１が音声データを入力し，音声データ蓄積部２０２に蓄積する（音声データのロード）。なお，これらのロードの順番は，どれが先でもよく，また並列に実行してもよい。
【００４１】
図８は，デジタルシネマ再生装置２００でＤＣＰを再生する時のフローを示している。ＤＣＰの再生が開始されると，映像データ蓄積部２０６，字幕データ蓄積部２１２，音声データ蓄積部２０２から，それぞれ映像データ，字幕データ，音声データの読み出しが行われる（ステップＳ５０）。音声データの暗号復号処理（ステップＳ５１），音声信号出力の処理（ステップＳ５２）は，図３で説明した処理と同様である。
【００４２】
字幕データ蓄積部２１２から読み出された字幕データは，暗号化されている場合には暗号復号部２１３によって復号され，字幕重畳部２１４へ送られる。
【００４３】
映像データの処理については，次のように行う。まず，図２のステップＳ１１と同様な判別方法により，２Ｋコンテンツか４Ｋコンテンツかを判別する（ステップＳ５３）。再生する映像が２Ｋコンテンツの場合には，映像データの暗号復号処理を行い（ステップＳ５４），暗号復号処理後に２Ｋ成分からなるＪＰＥＧ  ２０００映像データから２Ｋ成分復号処理部２０９で２Ｋ映像を復号する（ステップＳ５５）。
【００４４】
次に，その復号した結果を字幕重畳部２１４に送り，２Ｋ用の字幕データを重畳する（ステップＳ５６）。それを４Ｋ  ＬＬ成分として４Ｋ成分復号処理部２１０に送り，４Ｋ成分復号処理部２１０で再生値が０となる変換係数を有する残りのＬＨ，ＨＬ，ＨＨの成分を加えて復号する（ステップＳ５７）。これにより，字幕重畳済みの４Ｋ拡大映像を得て，その映像信号を出力する（ステップＳ５８）。
【００４５】
また，ステップＳ５３における判別結果が４Ｋコンテンツである場合には，映像データの暗号復号処理を行い（ステップＳ５９），暗号復号処理後に２Ｋ成分を２Ｋ成分復号処理部２０９で復号し（ステップＳ６０），それを４Ｋ  ＬＬ成分として，残りの４Ｋ高域成分（４Ｋ  ＬＨ，４Ｋ  ＨＬ，４Ｋ  ＨＨ）と合わせて，４Ｋ成分復号処理部２１０で復号する（ステップＳ６１）。復号して得た４Ｋ映像を字幕重畳部２１４に送り，４Ｋ用の字幕データを重畳し（ステップＳ６２），字幕重畳済みの４Ｋ映像を得て，その映像信号を出力する（ステップＳ６３）。
【００４６】
なお，第２の実施形態における４Ｋ成分復号処理部２１０が行う処理は，図５に示した第１の実施形態における４Ｋ成分復号処理部１１０の処理と同様である。
【００４７】
２Ｋ／４Ｋの自動判別処理は，映像データの暗号復号前，後どちらでも可能である。また，本方法によれば字幕データが暗号化されており，再生時まで暗号を解いてはいけない場合であっても対応可能となる。
【００４８】
〔第３の実施形態〕
図９は，第３の実施形態に係るデジタルシネマ再生装置の構成例を示す図である。また，図１０は，デジタルシネマ再生装置３００でＤＣＰを再生する時のフローを示している。
【００４９】
前述した第１の実施形態では，ＤＣＰのロード時に映像データから２Ｋ／４Ｋ自動判別を行い，２Ｋコンテンツの場合には，図１の字幕データ拡大処理部１１２によって字幕データの拡大を行っている。しかし，字幕データが暗号化されている場合，字幕データ蓄積部１１３に復号した結果の字幕データを格納するのは望ましくないため，ＤＣＰのロード時ではなく再生時に復号する必要がある。
【００５０】
そこで，第３の実施形態では，図９に示すように，映像データ蓄積部３０６の後段に２Ｋ／４Ｋ自動判別処理部３０７を設け，字幕データ蓄積部３１２の後段に暗号復号部３１３と字幕データ拡大処理部３１４を設けることで，再生時における字幕データの復号と，拡大が必要なときの字幕データの拡大処理を実現している。他の各部の機能および動作は，図１で説明した第１の実施形態と同様である。
【００５１】
図１０に示すフローにおいて，ステップＳ６０〜Ｓ６２の処理は，図３のステップＳ２０〜Ｓ２２の処理と同様であり，ステップＳ６３の処理は，図２のステップＳ１１の処理と同様である。また，ステップＳ６４〜Ｓ６８の処理は，図３のステップＳ２３〜Ｓ２７の処理と同様である。ステップＳ７０の処理は，図２のステップＳ１２の処理と同様である。
【００５２】
以上のデジタルシネマ再生の処理は，コンピュータとソフトウェアプログラムとによっても実現することができ，そのプログラムをコンピュータ読み取り可能な記録媒体に記録して提供することも，ネットワークを通して提供することも可能である。
【図面の簡単な説明】
【００５３】
【図１】第１の実施形態に係るデジタルシネマ再生装置の構成例を示す図である。
【図２】デジタルシネマ再生装置へのＤＣＰロード時のフローを示す図である。
【図３】デジタルシネマ再生装置でＤＣＰを再生する時のフローを示す図である。
【図４】２Ｋコンテンツの映像データの４Ｋ拡大表示を説明するための図である。
【図５】４Ｋ成分復号処理部の処理のフローチャートである。
【図６】第２の実施形態に係るデジタルシネマ再生装置の構成例を示す図である。
【図７】デジタルシネマ再生装置へのＤＣＰロード時のフローを示す図である。
【図８】デジタルシネマ再生装置でＤＣＰを再生する時のフローを示す図である。
【図９】第３の実施形態に係るデジタルシネマ再生装置の構成例を示す図である。
【図１０】デジタルシネマ再生装置でＤＣＰを再生する時のフローを示す図である。
【図１１】従来のデジタルシネマ再生方式の例を示す図である。
【符号の説明】
【００５４】
１００，２００，３００  デジタルシネマ再生装置
１０１，２０１，３０１  音声データ入力部
１０２，２０２，３０２  音声データ蓄積部
１０３，１０８，２０３，２０８，２１３，３０３，３０８，３１３  暗号復号部
１０４，２０４，３０４  音声信号出力部
１０５，２０５，３０５  映像データ入力部
１０６，２０７，３０７  ２Ｋ／４Ｋ自動判別処理部
１０７，２０６，３０６  映像データ蓄積部
１０９，２０９，３０９  ２Ｋ成分復号処理部
１１０，２１０，３１０  ４Ｋ成分復号処理部
１１１，２１１，３１１  字幕データ入力部
１１２，３１４          字幕データ拡大処理部
１１３，２１２，３１２  字幕データ蓄積部
１１４，２１４，３１５  字幕重畳部
１１５，２１５，３１６  映像信号出力部
【図１】
0004647645.tif 000002
【図２】
0004647645.tif 000003
【図３】
0004647645.tif 000004
【図４】
0004647645.tif 000005
【図５】
0004647645.tif 000006
【図６】
0004647645.tif 000007
【図７】
0004647645.tif 000008
【図８】
0004647645.tif 000009
【図９】
0004647645.tif 000010
【図１０】
0004647645.tif 000011
【図１１】
0004647645.tif 000012